(57)【特許請求の範囲】
【請求項１】
容器用プラスチッククロージャーであって：
上壁部分、および該上壁部分から垂れ下がる環状スカート部分を有するクロージャー本体と、
該上壁部分から環状スカート部分の内側に垂れ下がる外側密閉要素であって、該外側密閉要素は環状であり、そして合わせる容器の外側に面する密閉面と係合するための内側に面する密閉面を規定する、該外側密閉要素と、および
該上壁部分に隣接し且つ下方に延びる該スカート部分の内面上に設けられた、複数の円周方向に間隔が空いた密閉強化要素であって、該強化要素は上壁部分の下の外側密閉要素と係合可能であり、該強化要素が上壁部分の下の外側密閉要素の外側へのたわみを抑制すると共に密閉面の円弧におけ衝撃または高圧による傷害を抑制するための形状を有し且つクロージャーが容器に完全にねじ込まれたときに外側密閉要素との間に隙間を有していることにより、該外側密閉要素と合わせる容器との密閉連携を強化する、密閉強化要素と、
を有する該プラスチッククロージャー。
【請求項２】
該上壁部分から該外側密閉要素の内側に垂れ下がる内側プラグ密閉要素を更に含み、該プラグ密閉要素は円筒状であり、そして合わせる容器の内側に面する内面と密閉係合するための外側に面する密閉面を規定する請求項１に記載の容器用プラスチッククロージャー。
【請求項３】
該クロージャーの適用を容易にするために、内側に先細る自由端部分を有する該内側プラグ密閉要素の該外側に面する密閉面を更に含む、請求項２に記載の容器用プラスチッククロージャー。
【請求項４】
該外側密閉要素の基本部分と合わせる容器との間に隙間を提供するために、該外側密閉要素の該内側に面する面が、該クロージャー本体の内側に先細る、請求項１に記載の容器用プラスチッククロージャー。
【請求項５】
該クロージャーが、該クロージャーの円周に均等に間隔を空けた１２個の該密閉強化要素を含む、請求項１に記載の容器用プラスチッククロージャー。
【請求項６】
容器用プラスチッククロージャーであって：
上壁部分、および該上壁部分から垂れ下がる環状スカート部分を有するクロージャー本体と、および
該上壁部分から環状スカート部分の内側に垂れ下がる外側密閉要素であって、該外側密閉要素が環状であり、そして合わせる容器の外側に面する密閉面と係合するための内側に面する密閉面を規定する、該外側密閉要素と、
を有し、
該外側密閉要素の基本部分と該容器との間に隙間を提供するために、該外側密閉要素の該内側に面する面が該クロージャー本体の内側に先細り、該上壁部分に隣接し且つ下方に延びる該スカート部分の内面上に、複数の円周方向に間隔を空けた密閉強化要素を含み、該強化要素は上壁部分の下の外側密閉要素の外側へのたわみを抑制すると共に密閉面の円弧における衝撃または高圧による傷害を抑制するように該外側密閉要素と係合するための形状を有し且つクロージャーが容器に完全にねじ込まれたときに外側密閉要素との間に隙間を有していることにより、該外側密閉要素と合わせる容器との密閉連携を強化する、該容器用プラスチッククロージャー。
【請求項７】
該上壁部分から該外側密閉要素の内側に垂れ下がる内側プラグ密閉要素を更に含み、該プラグ密閉要素は円筒状であり、そして一般に合わせる容器の内側に面する内面と密閉係合するための外側に面する密閉面を規定する請求項６に記載の容器用プラスチッククロージャー。
【請求項８】
該クロージャーの適用を容易にするために、内側に先細る自由端部分を有する該内側プラグ密閉要素の該外側に面する密閉面を更に含む、請求項７に記載の容器用プラスチッククロージャー。
【発明の詳細な説明】
【技術分野】
【０００１】
本出願は、一般に合わせる容器と使用するためにポリマー材料から形成されたプラスチッククロージャーに関し、より詳細には、合わせる容器との密閉連携（ｓｅａｌｉｎｇ  ｃｏｏｐｅｒａｔｉｏｎ）のために改善された密閉配置を含むライナーレスプラスチッククロージャーに関する。
【背景技術】
【０００２】
ポリマー材料から形成されたプラスチッククロージャーは、飲料などの容器に広く使用されるようになった。このようなクロージャーの中には別個のシールライナー（ｓｅａｌｉｎｇ  ｌｉｎｅｒ）部品を含むことができるものもあるが、この種の多くのクロージャーは「ライナーレス」クロージャー、すなわち別個のシールライナー要素が存在せずに有利に形成することができる。そのようなライナーレス構造では、クロージャーの１もしくは複数の特徴が合わせる容器と連携して、クロージャーと容器とのパッケージに望ましい密閉性能を提供する。
【０００３】
そのようなクロージャーの密閉性能は、衝撃などのようなクロージャーと容器とのパッケージの取り扱いに伴い良くない影響を受ける可能性があるという経験が示された。本発明は強化された密閉性能を促進すると同時に、そのようなクロージャーが形成されるポリマー材料を効率的に使用するようにする密閉特性を有する改善されたライナーレスクロージャーを対象とする。
【発明の概要】
【課題を解決するための手段】
【０００４】
本発明に従い、容器用プラスチッククロージャーは、上壁部分、および上壁部分から垂れ下がる環状スカート部分を有するクロージャー本体から構成される。幾つかの応用では、スカート部分には合わせる容器の外側ねじ山形成部と連携するための内側ねじ山形成部を提供することができる。
【０００５】
本発明に従い、本クロージャーはクロージャー本体の上壁部分から環状スカート部分の内側に垂れ下がる外側密閉要素を含む。この外側密閉要素は一般に環状であり、そして合わせる容器の一般に外側に面する密閉面と係合するための一般に内側に面する密閉面を規定する。
【０００６】
特に本発明の一局面に従い、外側密閉要素の基本部分と容器との間に隙間を提供するために、外側密閉要素の内側に面する面が、一般にクロージャー本体の内側に先細る。傾斜または下が切り取られた形状の外側密閉要素を提供する内側に先細るこの形状は、衝撃または高圧による傷害がクロージャーの密閉完全性を損なわないように、合わせる容器の仕上がりから隙間を提供するように作用する。特に外側密閉要素の内面の内角／アンダーカットは、外側シールに予圧をかける（ｐｒｅ−ｌｏａｄ）ためにも作用して、すべてのパッケージ条件中に、より密閉した圧を提供する。
【０００７】
本発明の別の局面に従い、クロージャーは上壁部分に隣接するクロージャーのスカート部分の内面上に、複数の円周方向に間隔を空けた密閉強化要素を含む。一般に上壁部分とスカート部分との連結部に提供される肩―様の突起として説明されるこの強化要素は、外側密閉要素により係合可能となって、外側密閉要素の外側へのたわみを限定し、これにより外側密閉要素と合わせる容器との密閉連携を強化する。
【０００８】
この配置により、外側密閉要素の外側放射状に側壁から突き出る外側の密閉強化が提供され、これは衝撃および高圧状況中にクロージャーにフープ剛性を加えることなく、外側密閉要素のたわみを限定するように作用する。言い換えると、本発明はフープ剛性に対する比または半径方向剛性を意図的に上げるように形成され、これが外部または内部負荷の下で密閉面の残りに移る歪を最小とし、これにより密閉効率が向上する。
【０００９】
このように不連続の、たわみ―制限圧力ブロックとして形成された密閉強化要素は、衝撃状況、ならびに高温／高圧状況で外側密閉要素を強化するように作用し、外側密閉要素と密閉強化要素との間の接触は、このような種類の状況で必要とされ得る時にのみ生じる。
【００１０】
密閉強化要素により提供される圧力ブロックは非連続的であるので、クロージャーの主要フープから圧力ブロックを外すと同時に、所望するならば重量節減が促進される。これにより衝撃負荷が密閉面のより広い円弧に影響を及ぼすことを避けながら、外側密閉要素の強化が可能になる。
【００１１】
本発明の重要な局面は、軽量クロージャーの形成を促進する点である。軽量クロージャーは圧力下で、相対的に重いクロージャーよりたわむという事実により、本発明はクロージャー側壁の軸方向の延び、および上部パネルのドーミングが起こった後でも最大の密閉圧を提供するように形成された。
【００１２】
説明する態様に従い、本クロージャーはさらに上壁部分から外側密閉要素の内側に垂れ下がる内側プラグ密閉要素を含む。このプラグ密閉要素は一般に円筒状であり、そして合わせる容器の一般に内側に面する内面との密閉連携のための外側に面する密閉面を規定する。好適な形状では、内側プラグシール要素の外側に面する面が、クロージャーの容器への適用を容易にするために内側に先細る自由端部分を有する。この配置により、内側プラグ密閉要素は曲線を付けられた引き込みプラグ（ｃｏｎｔｏｕｒｅｄ，ｌｅａｄ−ｉｎ  ｐｌｕｇ）を提供し、これはクロージャーの外側密閉要素よりも上壁部分から遠くに延びる。この内側密閉要素の形状は、クロージャーのプレセンタリングを提供することにより適用欠陥を減らすことに役立ち、内側プラグ密閉要素はまた外側密閉要素と一緒に作用して容器の内腔をフープ拡張させ、これにより容器の外径にかかる密閉圧を上げる。
【００１３】
説明する態様では、１２個の密閉強化要素がクロージャーの円周に均等に間隔を空けて存在して本発明の不連続圧力ブロックを提供し、隣接する強化要素間の空間は一般に各強化要素の円周の寸法に対応する。
【００１４】
他の特徴および利点は添付する図面および特許請求の範囲から容易に明白になるだろう。
【図面の簡単な説明】
【００１５】
【図１】本発明の原理を具現するライナーレスクロージャーの断面概略図である。
【図２】図１に示すクロージャーの円形部分の相対的に拡大した断片図である。
【図３】図１に示すクロージャーの断面図であり、クロージャーの上壁部分の内部および合わせる密閉特徴を示す。
【発明を実施するための形態】
【００１６】
本発明は様々な形態の態様が可能であり、現在好適な態様を図面で示し、そしてこれから記載するが、本開示は本発明の例示と考えられ、具体的に説明する特定の態様に本発明を限定しないことを意図していると解釈される。
【００１７】
図面を参照にして、合わせる容器Ｃと連携的に密閉係合するために形成されたプラスチッククロージャー１０を具体的に説明する。当業者には想定されるように、クロージャー１０は、ポリプロピレン、ポリエチレン、コポリマー、ポリマーブレンド等を含む適切なポリマー材料から形成することができる。クロージャー１０は圧縮成形または射出成形技術により効率的に形成することができる。
【００１８】
説明するように、クロージャー１０は上壁部分１２、および上壁部分１２から垂れ下がる環状スカート部分１４を有する単一の継ぎ目がないクロージャー本体を含む。容器Ｃが外側ねじ山形成部Ｔを含むこれらの応用について、クロージャー１０は連携する内側ねじ山形成部１６（図１の仮想線で示す）を、スカート部分１４の内面に提供することができる。
【００１９】
幾つかの応用では、クロージャー１０はクロージャーが一部または完全に容器Ｃから取り出されたことを容易に視覚的に認識できる証拠を提供するために、不正開封表示用に形成することができる。この目的に対して説明する態様では、クロージャー１０は環状スカート部分１４の下端から垂れ下がる不正開封を表示するピルファーバンド（ｐｉｌｆｅｒ
ｂａｎｄ）２０を含む。このピルファーバンド２０は、容器Ｃの仕上げの環状ブロッキングリングＬとの連携的係合のために、１もしくは複数の適切な要素をその内面に含むように形成することができ、これによりクロージャー１０が容器から取り外されるとピルファーバンド２０が環状スカート部分１４から一部または完全に分離される。
【００２０】
説明するようにクロージャー１０は所謂ライナーレス構造であり、その単一の継ぎ目のないクロージャー本体は、合わせる容器Ｃとの密閉連携のために別個の密閉要素を含まない。むしろクロージャー１０の単一の継ぎ目のない本体は、容器Ｃのネック部分または仕上げの内側および外側の両方に面する面との密閉連携のために特別に形成された特徴を含む。
【００２１】
本発明に従い、クロージャー１０はクロージャー本体の上壁部分１２から環状スカート部分１４の内側に垂れ下がる外側密閉要素２４を含む。この外側密閉要素２４は一般に環状であり、そして合わせる容器Ｃの一般に外側に面する密閉面と係合するための一般に内側に面する密閉面を規定する。
【００２２】
本発明の１つの局面に従い、外側密閉要素２４の基本部分と合わせる容器Ｃとの間に隙間（ｃｌｅａｒａｎｃｅ）を提供するために、外側密閉要素２４の内側に面する面は、一般にクロージャー本体の内側に先細る。外側密閉要素２４に傾斜または下が切り取られた形状を与えるこの内側に先細る形状は、衝撃または高圧による傷害が外側密閉要素２４により提供されるクロージャーの密閉完全性を損なわないように、合わせる容器の仕上げから隙間を提供するように作用する。特に外側密閉要素２４の内面の内角／アンダーカットは、外側密閉要素に予圧をかけて、すべてのパッケージ条件中に、より密閉した圧を提供するように作用する。
【００２３】
本発明の別の局面に従い、クロージャー１０は上壁部分１２に隣接するクロージャー１０のスカート部分１４の内面上に、複数の円周方向に間隔が空いた密閉強化要素２８を含む。一般に上壁部分１２とスカート部分１４との連結部に提供される肩―様の突起として説明される強化要素２８は、外側密閉要素２４により係合可能となって、外側密閉要素の外側へのたわみを限定し、これにより外側密閉要素２４と合わせる容器Ｃとの密閉連携を強化する。
【００２４】
すなわちこの配置により、外側密閉要素２４の外側放射状に側壁から突き出る外側の密閉強化が提供され、この強化は衝撃および高圧状況中にクロージャーにフープ剛性を加え
ることなく、外側密閉要素のたわみを限定するように作用する。言い換えると、本発明はフープ剛性に対する半径方向の剛性の比を意図的に上げるように形成され、これが外部または内部負荷の下で密閉面の残りに移る歪を最小とし、これにより密閉効率が向上する。
【００２５】
このように不連続の、たわみ―制限圧力ブロックとして形成された密閉強化要素２８は、衝撃状況、ならびに高温／高圧状況で外側密閉要素２４を強化するように作用し、外側密閉要素２４と密閉強化要素２８との間の接触は、このような種類の状況で必要とされ得る時にのみ生じる。
【００２６】
密閉強化要素２８により提供される圧力ブロックは非連続的であるので、圧力ブロックをクロージャーの主要フープから外すと同時に、所望により重量節減が促進される。これにより衝撃負荷が密閉面のより広い円弧に影響を及ぼすことを避けながら、外側密閉要素２４の強化を可能にする。
【００２７】
本発明の重要な局面は、密閉要素および密閉強化要素の形状が軽量クロージャーの形成を助長する点である。軽量クロージャーは圧力下で、相対的に重いクロージャーよりたわむという事実により、本発明はクロージャー側壁の軸方向の延び、および上壁部分のドーミングが起こった後でも最大の密閉圧を提供するように形成された。
【００２８】
説明する態様では、１２個の密閉強化要素２８がクロージャー１０の円周に均等に間隔を空けて存在して本発明の不連続圧力ブロックを提供し、隣接する強化要素間２８との空間は一般に各強化要素の円周の寸法に対応する。
【００２９】
説明する態様に従い、本クロージャー１０はさらに上壁部分１２から外側密閉要素２４の内側に垂れ下がる内側プラグ密閉要素３２を含む。このプラグ密閉要素３２は一般に円筒状であり、そして合わせる容器Ｃの一般に内側に面する内面と密閉係合するための外側に面する密閉面を規定する。
【００３０】
好適な形状では、内側プラグシール要素３２の外側に面する面３２が、クロージャー１０の合わせる容器Ｃへの適用を容易にするために内側に先細る自由端部分を有する。この配置により内側プラグ密閉要素３２は、曲線を付けられた引き込みプラグを提供し、これはクロージャーの外側密閉要素２４よりも上壁部分１２から遠くに延びる。この内側密閉要素の形状は、クロージャー１０のプレセンタリングを提供することにより適用欠陥を減らすことに役立ち、内側プラグ密閉要素３２は外側密閉要素２４と一緒に作用して容器の内腔を拡張させ、これにより容器の外径にかかる密閉圧を上げる。
【００３１】
これまでの記載から、多くの修飾および変更が本発明の新規概念の真の精神および範囲から逸脱せずに行うことができると考察される。本明細書で具体的に説明した特別な態様に関しては、限定されないことを意図し、あるいはそのように考えるべきであると理解される。本開示は添付する請求の範囲により網羅されることを意図するものであり、すべてのそのような修飾は請求の範囲に含まれる。
【図１】
0006421038.tif 000002
【図２】
0006421038.tif 000003
【図３】
0006421038.tif 000004